(57)【特許請求の範囲】
【請求項１】
第１及び第２筐体と、
前記第1及び第２筐体の少なくとも一部が互いに重なった重畳形態、前記第1及び第２筐体が重ならない展開形態、の間を移行可能に前記第1及び第２筐体を連結し、前記第１筐体にスライド可能に連結されたスライド部材と、を備え、
前記スライド部材は、被係合部を有し、
前記第２筐体は、前記被係合部に係合し前記展開形態における前記第２筐体を支持する第１及び第２係合部を有し、
前記スライド部材は、互いに伸縮可能に連結された第１及び第２スライド部材を含み、
前記第１スライド部材は、前記第１筐体側にスライド可能に連結され前記第１筐体から突出可能であり、
前記第２スライド部材は、前記第１スライド部材にスライド可能に連結され前記第２筐体に連結されている、携帯機器。
【請求項２】
前記第１筐体は、前記重畳形態において前記第２筐体と対向する第１正面を有し、
前記第２筐体は、前記重畳形態において前記第１筐体の反対側に第２正面を有し、前記被係合部と前記第１及び第２係合部とにより前記展開形態において前記第１及び第２正面との高低差が大きい第１位置と前記展開形態において前記高低差が小さい第２位置との間を移動可能に支持される、請求項１の携帯機器。
【請求項３】
前記第２筐体は、前記重畳形態で前記第１筐体に対向する背面を有し、
前記スライド部材は、前記展開形態では前記第２筐体の前記背面側に当接して前記第２筐体を支持する、請求項１又は２の携帯機器。
【請求項４】
前記第２筐体を前記第２位置へと付勢する付勢部材を有している、請求項２の携帯機器。
【請求項５】
前記第２筐体は、付勢部材の付勢力により前記第２位置にロックされる、請求項２の携帯機器。
【請求項６】
前記付勢部材は、前記重畳形態から前記展開形態へ移行を補助するように前記第１及び第２筐体間に設けられている、請求項５の携帯機器。
【請求項７】
前記付勢部材は、前記スライド部材と前記第２筐体との間に設けられている、請求項５の携帯機器。
【請求項８】
前記展開形態で前記第１筐体から突出する前記スライド部材と共に前記第１筐体から突出し、前記第１筐体から突出した前記スライド部材の部分を覆うスライドカバーを備えた、請求項１乃至７の何れかの携帯機器。
【発明の詳細な説明】
【技術分野】
【０００１】
本発明は携帯機器に関する。
【背景技術】
【０００２】
変形可能な携帯機器がある。このような携帯機器は、取り得る複数の形態の中から所望の形態に変形されて使用される。特許文献１〜４は、このような携帯機器に関連した技術が開示されている。
【先行技術文献】
【特許文献】
【０００３】
【特許文献１】特開２００４−１９９２１９号公報
【特許文献２】特開２００５−２２８０６９号公報
【特許文献３】特開２００７−２６７２３８号公報
【特許文献４】特開２００９−５９１０２号公報
【発明の概要】
【発明が解決しようとする課題】
【０００４】
携帯機器の使用時においては、選択された形態が安定して維持されることが望まれる。
【０００５】
本発明は、選択された形態が安定して維持される携帯機器を提供することを目的とする。
【課題を解決するための手段】
【０００６】
本明細書に開示の携帯機器は、第１及び第２筐体と、前記第1及び第２筐体の少なくとも一部が互いに重なった重畳形態、前記第1及び第２筐体が重ならない展開形態、の間を移行可能に前記第1及び第２筐体を連結し、前記第１筐体にスライド可能に連結されたスライド部材と、を備え、前記スライド部材は、被係合部を有し、前記第２筐体は、前記被係合部に係合し前記展開形態における前記第２筐体を支持する第１及び第２係合部を有している。
【発明の効果】
【０００７】
選択された形態が安定して維持される携帯機器を提供できる。
【図面の簡単な説明】
【０００８】
【図１】図１は、実施例１の携帯電話の説明図。
【図２】図２は、実施例１の携帯電話の説明図。
【図３】図３は、実施例１の携帯電話の説明図。
【図４】図４は、実施例１の携帯電話の説明図。
【図５】図５Ａ〜５Ｃは、携帯電話の形態の移行の説明図。
【図６】図６Ａ〜Ｃは、付勢部材の説明図。
【図７】図７は、付勢部材の説明図。
【図８】図８Ａ、８Ｂは、実施例２の携帯電話の説明図。
【図９】図９Ａ、９Ｂは、実施例２の携帯電話の説明図。
【図１０】図１０Ａ、１０Ｂは、実施例２の携帯電話の説明図。
【図１１】図１１Ａ〜１１Ｄは、スライド部材の変形例の説明図。
【図１２】図１２Ａ、１２Ｂは、実施例３の携帯電話の説明図。
【図１３】図１３Ａ、１３Ｂは、実施例３の携帯電話の説明図。
【図１４】図１４Ａ〜１４Ｃは、実施例３の携帯電話の説明図。
【図１５】図１５Ａ、１５Ｂは、実施例４の携帯電話の説明図。
【図１６】図１６Ａ、１６Ｂは、実施例４の携帯電話の説明図。
【図１７】図１７Ａ、１７Ｂは、実施例４の携帯電話の説明図。
【図１８】図１８Ａ、１８Ｂは、付勢部材の説明図。
【図１９】図１９Ａ〜１９Ｃは、実施例５の携帯電話の説明図。
【図２０】図２０は、付勢部材の部分拡大図である。
【発明を実施するための形態】
【０００９】
以下、複数の実施形態について説明する。なお、携帯機器は例えば携帯電話である。
【実施例１】
【００１０】
実施例１の携帯電話について説明する。図１〜４は、実施例１の携帯電話の説明図である。実施例１の携帯電話は、互いに連結された第１筐体（以下、筐体と称する）１０、第２筺体（以下、筐体と称する）２０を有している。筐体１０、２０は、それぞれ平板状である。図１、図３は、筐体１０、２０が互いに重なった重畳形態での携帯電話を示し、図２、図４は、筐体１０、２０が重ならない展開形態での携帯電話を示している。筐体１０には、例えば図示していない操作キーや表示画面が設けられ、筐体２０には例えば図示しない表示画面が設けられるが、これに限定されない。
【００１１】
図１に示すように、シャーシ３０、４０は、それぞれ筐体１０、２０に固定さている。シャーシ３０、４０の間には、スライド部材５０、６０が介在している。即ち、スライド部材５０、６０により、シャーシ３０、４０が連結されている。スライド部材５０は、シャーシ３０にスライド可能に連結している。スライド部材６０は、スライド部材５０にスライド可能に連結している。即ち、スライド部材５０、６０は、互いに伸縮可能に連結されている。スライド部材６０は、シャーシ４０に連結されている。即ち、シャーシ４０は、スライド部材５０に対して移動可能に連結している。従って、筐体２０は、スライド部材５０に移動可能に連結されている。二つのスライド部材５０、６０により、筐体１０、２０はスライド可能に連結されているので、スライド可能な範囲が大きい。
【００１２】
シャーシ３０は、平板状の本体部３２、本体部３２の両側部にそれぞれ設けられたレール部３４、を含む。本体部３２には、後述する、付勢部材が連結される連結部３３が２つ設けられている。スライド部材５０は、平板状の本体部５２、本体部５２の両側部にそれぞれ設けられたスライド部５４、を含む。スライド部５４は、レール部３４にスライド可能に係合する。スライド部５４には、所定方向に延びた溝５５が形成されている。
【００１３】
スライド部材６０は、本体部６２、本体部６２の両側部にそれぞれ設けられたスライド部６４、を含む。スライド部６４には、溝５５に係合した係合部６５が設けられている。係合部６５は、ピン状である。また、スライド部６４には所定方向に延びた溝６６が設けられている。スライド部材５０のスライド部５４の内側には係合部５６が設けられており、係合部５６は、溝６６に係合する。係合部５６はピン状である。また、スライド部６４の内側には、後述する、付勢部材が連結される連結部６３が設けられている。スライド部６４には、溝６７、６８が設けられている。
【００１４】
シャーシ４０は、本体部４２、本体部４２の両側部のそれぞれに設けられた側壁部４４、側壁部４４に設けられた係合部４７、４８、を含む。係合部４７、４８は、ピン状である。係合部４７、４８は、それぞれスライド部材６０の溝６７、６８に係合している。スライド部材６０の本体部６２とシャーシ４０の本体部４２との間には、スプリングＳが配置されている。
【００１５】
実施例１の携帯電話の形態の移行について説明する。
図５Ａ〜５Ｃは、携帯電話の形態の移行の説明図である。図５Ａは、重畳形態、図５Ｂ、５Ｃは、展開形態を示している。筐体１０は、正面１１、背面１２を有し、筐体２０は、正面２１、背面２２を有している。重畳形態においては、筐体１０の正面１１は筐体２０の背面２２と対向している。筐体２０の正面２１は、何れの形態においても常に露出している。筐体１０の正面１１には、例えば操作キーや表示画面が設けられる。筐体２０の正面２１には、例えば表示画面が設けられる。重畳形態では４７、４８は、それぞれ溝６７、６８の上端に位置する。溝６８は、溝６７よりも長い。溝６８の下端は、溝６７の下端よりも低い位置にある。筐体２０の背面２２側には、詳しくは後述する支持部２３が形成されている。
【００１６】
重畳形態から筐体１０に対して筐体２０をスライドさせると、筐体２０と共にスライド部材６０、５０がシャーシ３０に対してスライドする。スライド部材５０がスライド範囲の最大位置で停止すると、係合部６５が溝５５内を移動して、スライド部材６０は更に筐体２０と共にスライドする。係合部６５が溝５５の端部に当接すると、図５Ｂに示すように、筐体１０に対する筐体２０のスライドは停止する。図５Ｂに示した状態においては、筐体１０、２０が互いに重ならない。即ち、筐体２０に対して筐体１０を完全にスライドさせると、筐体１０、２０は接触しない。この際に、筐体１０の正面１１と筐体２０の正面２１との高低差Ｈは、図５Ａの重畳形態における高低差Ｈと変化しない。即ち、重畳形態における高低差Ｈを維持した状態で、展開形態へと移行される。重畳形態での高低差と同じ高低差Ｈを有した展開形態での筐体２０の位置を、第１位置と称する。
【００１７】
展開形態においては、スライド部材５０が筐体２０内に沈むように、スライド部材５０を移動させることができる。このように移動させると、係合部４７、４８は、それぞれ溝６７、６８の下端に位置する。係合部４７、４８は、シャーシ４０に設けられ、シャーシ４０は筐体２０に固定されている。このため、シャーシ４０は下方に移動する。これにより、第１位置での高低差Ｈよりも、高低差が小さくなる。第１位置での高低差Ｈよりも高低差が小さくなる筐体２０の位置を、第２位置と称する。第２位置では、筐体２０の側面は筐体１０の側面に対向する。
【００１８】
このように、シャーシ４０に設けられた２つの係合部４７、４８と、スライド部材６０の溝６７、６８との係合により、筐体２０は展開形態における第２位置で安定して支持される。特に、展開形態においては、筐体１０、２０は互いに接触してないため、このような構造により筐体２０を安定して支持できる。
【００１９】
展開形態で筐体２０が第２位置に支持されているときは、筐体２０の背面２２側に形成された支持部２３に、スライド部材５０、６０が当接する。支持部２３は、筐体２０を第２位置で支持されるように、スライド部材５０、６０に沿った形状である。即ち、スライド部材５０、６０が筐体２０の背面２２側を支えている。これにより、筐体２０をより安定して第２位置で支持することができる。尚、支持部２３には、スライド部材５０、６０の少なくとも一方が当接することにより筐体２０を支持するようにしてもよい。
【００２０】
図５Ｃに示したように、筐体２０は第２位置では筐体１０に対して傾斜した姿勢となる。これにより、筐体１０の正面１１と筐体２０の正面２１との高低差が小さくなるので、正面１１、２１の視認性が向上する。例えば、正面１１、２１のそれぞれに表示画面を設けた場合に、正面１１、２１との高低差に起因する表示画面の視認性への影響を抑制できる。
【００２１】
展開形態においては、筐体１０、２０は互いに重ならないので、筐体１０の正面１１を全て露出させることができる。これにより、例えば筐体１０の正面１１の全面に表示部を設けることもできる。
【００２２】
尚、係合部４７、４８は、筐体２０に一体に形成されていてもよい。溝６７、６８は、互いに連続した単一の溝であってもよい。シャーシ４０側に溝を設け、スライド部材６０側にこの溝に係合する２つの係合部を設けてもよい。単一のスライド部材が筐体２０を支持してもよい。
【００２３】
重畳形態及び展開形態間の移行を補助する付勢部材について説明する。
図６Ａ〜６Ｃ、７は、付勢部材の説明図である。図６Ａは、重畳形態での付勢部材９０、図６Ｂは、重畳形態と展開形態の間の状態での付勢部材９０、図６Ｃは、展開形態の付勢部材９０を示している。尚、図６Ａ〜６Ｃにおいては、付勢部材９０を簡略化して示している。付勢部材９０は全て実線で示している。
【００２４】
図６Ａに示すように、付勢部材９０は、フレーム９２、フレーム９２に伸縮可能に連結されたフレーム９６、９７、を含む。フレーム９６は、スライド部材６０の連結部６３に連結され、フレーム９７は、シャーシ３０の連結部３３に連結されている。フレーム９６は、フレーム９２と連結部６３とを遠ざける方向Ｄ１に付勢する。フレーム９７は、フレーム９２と連結部３３とを遠ざける方向Ｄ２に付勢する。即ち、付勢部材９０は、連結部３３、６３を遠ざけるように付勢する。重畳形態においては、付勢部材９０は、重畳形態から展開形態に移行する方向とは逆の方向に筐体１０、２０を付勢している。
【００２５】
重畳形態から展開形態に移行する場合には、付勢部材９０の付勢力に抗して筐体１０に対して筐体２０をスライドさせる。図６Ｂに示すように、重畳形態と展開形態と間では、付勢部材９０は、連結部３３、６３とがスライド方向と直交する方向に並んだ姿勢になる。この状態では、付勢部材９０は最も縮む。
【００２６】
更に、筐体１０がスライドされると、付勢部材９０の姿勢が重畳形態時での姿勢と反対となる。これにより、付勢部材９０の付勢力が筐体１０、２０を展開形態への移行を補助する。これにより、付勢部材９０は図６Ｃに示した姿勢となる。
【００２７】
図７は付勢部材９０の詳細な図である。フレーム９２は、付勢部材９０の軸方向に延びた案内ロッド９４、９５を有している。案内ロッド９４、９５は互いに逆方向に延びている。フレーム９６は、案内ロッド９４にストローク可能に保持されている。フレーム９６は、フレーム９２に連結された３つのロッド９６１を有している。ロッド９６１の一端が、フレーム９２に設けられた不図示の孔にストローク可能に係合している。ロッド９６１の周りには、不図示のコイル状のスプリングが巻かれている。スプリングは、フレーム９２とフレーム９６とを引き離すように付勢している。案内ロッド９５、ロッド９７１も同様の機能を有している。
【００２８】
尚、重畳形態及び展開形態の移行を補助する付勢部材は、上記のような付勢部材９０に限られず、トーションバネ等であってもよい。
【実施例２】
【００２９】
実施例２の携帯電話について説明する。図８Ａ、８Ｂ、９Ａ、９Ｂ、１０Ａ、１０Ｂは、実施例２の携帯電話の説明図である。尚、実施例２の携帯電話について、実施例１と同様の部分には類似の符号を付して重複する説明を省略する。図８Ａは、重畳形態での携帯電話の内部構造を示しており、図８Ｂは、展開形態で筐体２０ｂが第２位置にある場合の携帯電話の内部構造を示している。
【００３０】
図８Ａに示すように、筐体１０ｂ内にはカバー７０ｂが設けられている。カバー７０ｂは、シャーシ３０ｂのレール部３４ｂにスライド可能に係合している。カバー７０ｂは、スライド部材５０ｂに固定されている。カバー７０ｂは、スライド部材５０ｂと共に筐体１０ｂから突出可能である。カバー７０ｂにより、展開形態においてもスライド部材５０ｂは隠蔽される。これにより、携帯電話の意匠性が向上している。
【００３１】
スライド部材５０ｂにはスライダ８０ｂがスライド可能に連結している。スライダ８０ｂは、付勢部材９０の一端が連結された連結部８３ｂを有している。付勢部材９０の他端は、シャーシ３０ｂの連結部３３ｂに連結されている。シャーシ４０ｂの係合部４６ｂは、スライド部材５０ｂ、スライダ８０ｂに連結されている。スライダ８０ｂは、付勢部材９０の付勢力をシャーシ４０ｂに伝える機能を有している。詳しくは後述する。
【００３２】
筐体１０ｂと筐体２０ｂとを接続するケーブルＣＢは、カバー７０ｂ内を引回されている。カバー７０ｂには、ケーブルＣＢを逃すための７８ｈが形成されている。
【００３３】
実施例２の携帯電話の形態の移行について説明する。
図９Ａは、重畳形態での説明図である。シャーシ４０ｂは、係合部４５ｂ、４６ｂを有している。係合部４６ｂは、スライダ８０ｂの溝８５ｂに係合している。図９Ａの重畳形態においては、スライダ８０ｂは付勢部材９０の付勢力により図９Ａの右方向に付勢される。スライダ８０ｂの溝８５ｂとシャーシ４０ｂの係合部４６ｂとが係合しているので、シャーシ４０ｂは、右方向に付勢され、重畳形態が維持される。重畳形態においては、係合部４６ｂは溝８５ｂの上端に位置する。係合部４５ｂ、４６ｂはピン状である。
【００３４】
スライド部材５０ｂは、溝５５ｂを有している。溝５５ｂは、直線状部５５ｂ１、直線状部５５ｂ１の途中部分に連続した幅広部５５ｂ３、直線状部５５ｂ１の先端に連続した傾斜部５５ｂ７、を含む。筐体２０ｂをスライド可能とする方向に延びている。幅広部５５ｂ３の下端にはロック部５５ｂ４が形成されている。係合部４５ｂ、４６ｂの双方は、溝５５ｂに係合している。幅広部５５ｂ３の幅は、直線状部５５ｂ１の幅よりも大きい。傾斜部５５ｂ７は、直線状部５５ｂ１から下り傾斜している。
【００３５】
筐体１０ｂがスライドされると、シャーシ４０ｂもスライドする。シャーシ４０ｂがスライドすることにより、係合部４５ｂ、４６ｂは、スライド部材５０ｂ内を移動する。尚、係合部４６ｂにはスライダ８０ｂが連結されているので、スライダ８０ｂもスライドする。図９Ｂに示すように、係合部４５ｂが傾斜部５５ｂ７と直線状部５５ｂ１との境界付近に位置した時には、付勢部材９０の付勢力の方向が切り替わっており、付勢部材９０は展開形態に移行するように筐体２０ｂを付勢する。
【００３６】
更に、筐体２０ｂをスライドさせると、係合部４５ｂは傾斜部５５ｂ７と直線状部５５ｂ１との境界付近で係合したまま、シャーシ４０ｂのスライドと共にスライド部材５０ｂ、カバー７０ｂ、スライダ８０ｂが、筐体１０ｂに対してスライドする。スライド部材５０ｂ、カバー７０ｂがスライド範囲の最大位置までスライドした状態で更に筐体２０ｂをスライドさせると、係合部４５ｂが傾斜部５５ｂ７に進入して傾斜部５５ｂ７の端部に当接し、スライダ８０ｂはスライド部材５０ｂに対してスライドする。傾斜部５５ｂ７は傾斜しているので、図１０Ａに示すように、筐体２０ｂ、シャーシ４０ｂは、傾斜した姿勢となる。筐体２０ｂのこの位置を第１位置と称する。
【００３７】
図１０Ａに示した状態から、筐体２０ｂをスライド部材５０ｂ、カバー７０ｂに向けて押すと、係合部４６ｂが幅広部５５ｂ３内に進入してロック部５５ｂ４に当接する。この際に、係合部４６ｂは、溝８５ｂの下端にまで移動する。筐体２０ｂのこの位置を第２位置と称する。係合部４５ｂがロック部５５ｂ４内に位置する場合には、付勢部材９０は図中の左方向にシャーシ４０ｂを付勢しているため、係合部４５ｂはロック部５５ｂ４にロックされる。このように、付勢部材９０の付勢力を利用して筐体２０ｂは、第２位置にロックされる。これにより、筐体２０ｂは、第２位置により安定して維持される。
【００３８】
次に、スライド部材の変形例について説明する。
図１１Ａ〜１１Ｄは、スライド部材の変形例の説明図であり、図１１Ａ、１１Ｂは第１変形例、図１１Ｃ、１１Ｄは第２変形例を示している。尚、図１１Ａ〜１１Ｄにおいては、筐体１０ｂ、２０ｂ、スライダ８０ｂ等については省略してある。
【００３９】
第１変形例について説明する。図１１Ａのスライド部材５０ｃは、溝５５ｃを有している。溝５５ｃの幅広部５５ｃ３には、ロック部５５ｃ５が形成されている。ロック部５５ｃ５は、ロック部５５ｃ４よりも高い位置に形成されている。ロック部５５ｃ５の高さは、傾斜部５５ｃ７の端部の高さと略同じである。
【００４０】
図１１Ｂは、係合部４６ｂをロック部５５ｃ５に係合させた場合を示している。これにより、シャーシ４０ｂは、スライド部材５０ｃと略平行状態に維持することができる。尚、この際、筐体２０ｂの正面と筐体１０ｂの正面とは略平行な状態となる。この際においても、付勢部材９０は、シャーシ４０ｂを図中の左方向に付勢しているため、係合部４６ｂは、ロック部５５ｃ５にロックされる。このように筐体２０ｂの位置を変更できる。
【００４１】
第２変形例について説明する。図１１Ｃに示すように、溝５５ｄは、直線状部５５ｄ１に連続した傾斜部５５ｄ７、５５ｄ８が形成されている。傾斜部５５ｄ７、５５ｄ８は、互いに傾斜角度が異なっており、傾斜部５５ｄ８の端部は、傾斜部５５ｄ７の端部よりも低い位置に形成されている。また、傾斜部５５ｄ８の端部の高さは、ロック部５５ｄ４の高さと略同じである。係合部４５ｂを傾斜部５５ｄ８の端部にスライドさせ、係合部４６ｂをロック部５５ｄ４にロックすることにより、シャーシ４０ｂとスライド部材５０ｄとを略平行にした状態で、更に筐体１０ｂと筐体２０ｂとの高低差を小さくすることができる。
【００４２】
また、図１１Ｄに示すように、係合部４５ｂを傾斜部５５ｄ７の端部にスライドさせることにより、シャーシ４０ｂを傾斜させることもできる。これにより、筐体２０ｂの傾斜角度を変更することもできる。
【実施例３】
【００４３】
図１２Ａ、１２Ｂ、１３Ａ、１３Ｂ、１４Ａ〜１４Ｃは、実施例３の携帯電話の説明図である。図１２Ａは、重畳形態での携帯電話の内部構造を示しており、図１２Ｂは、展開形態で筐体２０ｅが第２位置にある場合の携帯電話の内部構造を示している。
【００４４】
シャーシ４０ｅとスライド部材５０ｅとの間には、スライド部材６０ｅが介在している。スライド部材６０ｅは、スライド部材５０ｅの溝５５ｅに係合した係合部６５ｅ、６６ｅを有している。シャーシ４０ｅには、溝４７ｅ、４８ｅが形成されている。スライド部材６０ｅは、溝４７ｅ、４８ｅにそれぞれ係合した係合部６７ｅ、６８ｅを有している。即ち、スライド部材６０ｅは、スライド部材５０ｅにスライド可能に連結されている。係合部６５ｅ、６６ｅ、６７ｅ、６８ｅはピン状である。
【００４５】
スライド部材６０ｅの係合部６６ｅは、スライダ８０ｅの溝８５ｅと係合している。また、シャーシ４０ｅとスライド部材６０ｅとの間には、スプリングＳＥが介在している。スプリングＳＥは、シャーシ４０ｅとスライド部材６０ｅとを引き離す方向に付勢している。図１２Ｂに示すように、展開形態で筐体２０ｅが第２位置に移動した場合には、スプリングＳＥは圧縮される。
【００４６】
実施例３の携帯電話の形態の移行について説明する。
図１３Ａ、１３Ｂ、１４Ａ〜１４Ｃにおいては、シャーシ３０ｅ、カバー７０ｅについては省略してある。図１３Ａは、重畳形態での説明図である。図１３Ａに示すように、重畳形態においては、係合部６７ｅ、６８ｅは、それぞれ溝４７ｅ、４８ｅの下端に位置している。溝４７ｅ、４８ｅの上端には、それぞれロック部４７ｅ４、４８ｅ４が形成されている。筐体２０ｅがスライドされると、図１３Ｂに示すように、係合部６５ｅ、６６ｅは、溝５５ｅ内を移動して係合部６５ｅは直線状部５５ｅ１の先端に当接する。尚、図１３Ａ以降は、スプリングＳＥについて省略してある。
【００４７】
更に筐体２０ｅがスライドされると、スライド部材５０ｅが筐体１０ｅに対してスライドし、スライド部材５０ｅは筐体１０ｅに形成されたストッパ１５ｅによりスライドが制限される。また、スライド部材５０ｅの下端部には、スライド部材５０ｅを支持するための脚部５９ｅが設けられている。脚部５９ｅは、カバー７０ｅから露出している。このようにして展開形態に移行する。
【００４８】
更に、スプリングＳＥの付勢力に抗して、筐体２０ｅを下方に押し込むと、シャーシ４０ｅがスライド部材６０ｅに対して移動する。そして、図１４Ｂに示すように、係合部６７ｅ、６８ｅがそれぞれロック部４７ｅ４、４８ｅ４に係合する。これにより、筐体２０ｅは、若干スライド部材５０ｅに沈み込むように移動する。この際に、スプリングＳＥは、シャーシ４０ｅとスライド部材６０ｅとを引き離す方向に付勢している。この付勢力により、係合部６７ｅ、６８ｅは、それぞれロック部４７ｅ４、４７ｅ５でロックされる。
【００４９】
更に、筐体２０ｅを下方に押し込むと、図１４Ｃに示すように、係合部６６ｅがロック部５５ｅ４にロックされる。これにより、筐体２０ｅは傾斜した姿勢で第２位置に支持される。シャーシ４０ｅに設けられた２つの溝４７ｅ、４８ｅと、スライド部材６０ｅの係合部６７ｅ、６８ｅとの係合により、展開形態においてシャーシ４０ｅは安定して支持される。これにより、筐体２０ｅは第２位置で安定して支持される。
【実施例４】
【００５０】
図１５Ａ、１５Ｂ、１６Ａ、１６Ｂ、１７Ａ、１７Ｂは、実施例４の携帯電話の説明図である。図１５Ａは、重畳形態での携帯電話の内部構造を示している。図１５Ｂは、展開形態で筐体２０ｆが第２位置にある場合の携帯電話の内部構造を示している。
【００５１】
図１５Ａ、１５Ｂに示すように、シャーシ３０ｆ、４０ｆの間には付勢部材１００が介在している。付勢部材１００は、重畳形態及び展開形態間の移行の補助をする。付勢部材１００は、一端が連結部３３ｆ、他端が連結部４３ｆに連結されている。連結部４３ｆは、シャーシ４０ｆに設けられている。付勢部材１００は、連結部３３ｆ、４３ｆが引き離される方向に付勢する。
【００５２】
次に、実施例４の携帯電話の形態の移行について説明する。
尚、図１６Ａ、１６Ｂ、１７Ａ、１７Ｂにおいては、カバー７０ｆについては省略してある。図１６Ａは、重畳形態の説明図である。シャーシ４０ｆは、係合部４５ｆ、４６ｆを有し、係合部４５ｆ、４６ｆは、溝５５ｆに係合している。係合部４５ｆ、４６ｆはピン状である。重畳形態においては、付勢部材１００は、シャーシ４０ｅを図中の右方向に付勢している。
【００５３】
筐体２０ｆをスライドすると、図１６Ｂに示すように、連結部３３ｆと連結部４３ｆとの位置関係が反転し、付勢部材１００は反時計方向に回転するように姿勢を変える。付勢部材１００は、連結部４３ｆと連結部３３ｆとを引き離す方向に付勢しているため、付勢部材１００の姿勢が変わることにより、筐体２０ｆは、図中の左方向に付勢される。
【００５４】
更に筐体２０ｆをスライドすると、シャーシ４０ｆと共にスライド部材５０ｆが筐体１０ｆに対してスライドし、図１７Ａに示すように、係合部４５ｆが傾斜部５５ｆ７の端部に当接する。
【００５５】
筐体２０ｆをスライド部材５０ｆに向けて押すと、係合部４６ｆがロック部５５ｆ４に当接する。この際に、付勢部材１００は、シャーシ４０ｆを図中の左方向に付勢しているので、係合部４６ｆはロック部５５ｆ４にロックされる。これにより、筐体２０ｆは、第２位置にロックされ安定して維持される。
【００５６】
付勢部材１００について詳細に説明する。
図１８Ａ、１８Ｂは、付勢部材１００の説明図である。付勢部材１００は、フレーム１１０、１２０、１３０、１４０を含む。フレーム１１０は、連結部３３ｆと連結される連結部１１３を含む。フレーム１４０は、連結部４３ｆと連結される連結部１４３を含む。フレーム１１０には、２本のロッド１１５が固定されている。ロッド１１５は、フレーム１２０の孔１２１ｈにストローク可能に係合している。ロッド１１５の周りにはコイル状のスプリングＳが巻回されている。スプリングＳは、フレーム１１０、１２０との間に介在し、フレーム１１０、１２０を引き離す方向に付勢している。スプリングＳは、一部省略してある。
【００５７】
フレーム１２０は、保持部１２１、１２３、保持部１２１、１２３を連結する中継部１２２、を含む。中継部１２２には、フレーム１１０がスライド可能に保持されている。上述したように保持部１２１には、ロッド１１５の挿入を許容するための孔１２１ｈが形成されている。保持部１２３には、孔１２３ｈが形成されている。
【００５８】
フレーム１３０は、保持部１３１、１３３、中継部１３２を含む。保持部１３３には、２本のロッド１３５が固定されている。ロッド１３５の周りにはスプリングＳが巻かれている。スプリングＳは、保持部１２３、１３３の間に介在し両者を引き離す方向に付勢している。また、ロッド１３５は、孔１２３ｈに挿入可能である。
【００５９】
フレーム１４０は、２本のロッド１４５が固定されている。ロッド１４５の周りにはスプリングＳが巻かれている。スプリングＳは、保持部１３１とフレーム１４０との間に介在し両者を引き離す方向に付勢している。フレーム１４０は、中継部１３２にスライド可能に保持されている。
【００６０】
図１８Ｂは、最も圧縮された状態の付勢部材１００を示している。ロッド１１５、１３５、１４５は、それぞれ孔１２１ｈ、１２３ｈ、１３１ｈに深く挿入されている。フレーム１１０が保持部１２１に当接し、保持部１３３が保持部１２３に当接し、フレーム１４０は保持部１３１に当接している。保持部１３３は保持部１２３に対してスライドして保持部１２３に当接する。また、フレーム１４０は、中継部１３２に対してスライドして保持部１３１に当接する。ロッド１１５に巻かれたスプリングＳは、フレーム１１０、１２０の間で圧縮される。ロッド１３５に巻かれたスプリングＳは、保持部１２３、１３３の間で圧縮される。ロッド１４５に巻かれたスプリングＳは、フレーム１４０と保持部１３１との間で圧縮される。このような構造の付勢部材１００により、展開形態及び重畳形態間の移行が補助されている。
【実施例５】
【００６１】
図１９Ａ〜１９Ｃは、実施例５の携帯電話の説明図である。付勢部材２００は、一端が筐体１０ｇに設けられた連結部１３ｇに連結され、他端はシャーシ４０ｇの係合部４６ｇに連結されている。図１９Ａ〜１９Ｃは、展開形態から重畳形態への移行の説明図である。付勢部材２００は、展開形態及び重畳形態間の移行を補助する。尚、図１９Ａ〜１９Ｃにおいては、第２筺体を省略してある。
【００６２】
付勢部材２００は、図１９Ａに示すように複数のリンク部材を有している。図１９Ａ状態においては、付勢部材２００は、係合部４６ｇと連結部１３ｇとを引き離す方向に付勢している。連結部１３ｇは、筐体１０ｇに対して固定されている。
【００６３】
シャーシ４０ｇを重畳形態へとスライドさせると、係合部４６ｇが連結部１３ｇに接近して、図１９Ｂに示すように付勢部材２００の複数のリンク部材は折畳まれる。
【００６４】
更にシャーシ４０ｇを図中の右方向にスライドさせると、再び係合部４６ｇは１３から離れ、図１９Ｃに示すように付勢部材２００の複数のリンク部材は再び展開される。このように重畳形態において、付勢部材２００は展開される。重畳形態においては、付勢部材２００は、シャーシ４０ｇを図中の右方向に付勢する。
【００６５】
図２０は、付勢部材１００の部分拡大図である。リンク部材２１０は、互いに端部で連結ピン２２０Ｐにより回転可能に連結されている。連結されたリンク部材２１０の間には、スプリング２３０が介在している。スプリング２３０は、巻回部２３１、巻回部２３１から連続した腕部２３２、２３３、を含む。巻回部２３１は、連結ピン２２０Ｐ周りに巻回されている。
【００６６】
スプリング２３０は、巻回部２３１の中心を支点として、リンク部材２１０が開くように付勢力を有している。即ち、腕部２３２には、一方のリンク部材２１０に形成された突部２１２を付勢し、腕部２３３は、他方のリンク部材２１０に形成された突部２１３を付勢する。これにより、連結されたリンク部材２１０は、連結ピン２２０Ｐを支点として展開する方向に付勢されている。よって、付勢部材２００は、展開形態及び重畳形態間の移行を補助することができる。
【００６７】
以上本発明の好ましい一実施形態について詳述したが、本発明は係る特定の実施形態に限定されるものではなく、特許請求の範囲に記載された本発明の要旨の範囲内において、種々の変形・変更が可能である。
【００６８】
携帯機器としては、携帯電話に限定されない。例えば、ＰＤＡやノートパソコンのように、２つの筐体が直線状にスライド可能に連結された機器であればよい。
【符号の説明】
【００６９】
１０、２０  筐体
１１、２１  正面
３０、４０  シャーシ
３３、６３  連結部
４７、４８  係合部
５０、６０  スライド部材
５５、６７、６８  溝
５５ｂ４  ロック部
９０  付勢部材
【図１】
0005407946.tif 000002
【図２】
0005407946.tif 000003
【図３】
0005407946.tif 000004
【図４】
0005407946.tif 000005
【図５】
0005407946.tif 000006
【図６】
0005407946.tif 000007
【図７】
0005407946.tif 000008
【図８】
0005407946.tif 000009
【図９】
0005407946.tif 000010
【図１０】
0005407946.tif 000011
【図１１】
0005407946.tif 000012
【図１２】
0005407946.tif 000013
【図１３】
0005407946.tif 000014
【図１４】
0005407946.tif 000015
【図１５】
0005407946.tif 000016
【図１６】
0005407946.tif 000017
【図１７】
0005407946.tif 000018
【図１８】
0005407946.tif 000019
【図１９】
0005407946.tif 000020
【図２０】
0005407946.tif 000021